(57)【要約】      （修正有）【課題】横数列並べを可能にしながら、移動する際や収納保管する際、そして、ビニールハウス内への出入りの等には機体横幅寸法Ｌ1を狭く可変することができるように改善された苗箱並べ装置を提供する。【解決手段】走行車上から地面に向けて漸次傾斜状に設置される搬送コンベヤが、苗箱を駆動搬送する無端状の搬送ベルト2-2を搬送始端から搬送終端に亘り配設すると共に苗箱の長辺外寸法と略同寸幅間隔にて亘り配設されて苗箱を案内するガイド壁2-3を有する搬送路４を１列乃至横数列備え、更にガイド壁2-3が、箱並べ時において長辺外寸法と略同寸幅の搬送幅を有する搬送路４を確保するように開き、且つ、装置本体の移動時においては前記搬送幅を狭めるように閉じる変移自在と成し、それにより、装置本体を移動する際等時には機体横幅寸法が箱並べ時における機体横幅寸法Ｌ1よりも狭く可変し得るようにした。【選択図】図２
2005210908.tif 000002
【特許請求の範囲】
【請求項１】
走行車と、この走行車上から地面に向けて漸次傾斜状に設置される搬送コンベヤと、同走行車の後部に備えられるハンドルとで構成され、
前記走行車上の搬送コンベヤの搬送始端側において供給される平面視略長方形状の苗箱を、長辺縁部同士を互いに隣接させて搬送終端側へと駆動搬送せしめて同終端から地面に送り出しながら同地面に箱並べを行う苗箱並べ装置において、
上記走行車は、適宜の車体長さと車体幅を有する車体フレームを具備し、該車体フレームにフリー走行する前輪と後輪とを備え、
上記搬送コンベヤは、苗箱を駆動搬送する無端状の搬送ベルトを搬送始端から搬送終端に亘り配設すると共に苗箱の長辺外寸法と略同寸幅間隔にて搬送方向略全長に亘り配設されて苗箱を案内するガイド壁を有する搬送路を、上記走行車上から地面に向けて１列乃至横数列備えてなり、
更に、上記ガイド壁は、苗箱を駆動搬送しながらの箱並べ時において上記搬送幅を有する搬送路を確保するように開き、且つ、装置本体の移動走行時においては前記搬送路の搬送幅を狭めるように閉じる変移自在と成し、装置本体の機体横幅寸法が箱並べ時における寸法よりも狭く可変し得るように構成してなることを特徴とする苗箱並べ装置。
【請求項２】
請求項１記載の搬送コンベヤが、走行車の車体フレームの略前端部を境に搬送始端側と搬送終端側とに２分割され且つ回動自在に軸支されて、当該軸支部を支点に搬送終端側を斜め後方に折り畳み得るように構成してなることを特徴とする苗箱並べ装置。
【請求項３】
請求項１又は２記載の搬送コンベヤの搬送路を構成する間隔可変自在なガイド壁の搬送路の搬送幅を狭める閉じ方向への可変移動量を調節する幅調節機構を備えて、搬送路の搬送幅を苗箱の長辺外寸法に応じて可変調節し得るように構成してなることを特徴とする苗箱並べ装置。
【請求項４】
請求項１〜３何れか１項に記載の搬送コンベヤの搬送始端側に、同始端部から搬送路の傾斜に沿って伸縮調節自在に延出させる箱載せ機構を備えて、作業者の身長に応じて地面からの苗箱の箱載せ供給高さを可変調節し得るように構成してなることを特徴とする苗箱並べ装置。
【発明の詳細な説明】
【技術分野】
【０００１】
本発明は、多数枚の苗箱をビニールハウス内等の地面全体に並べるために使用される苗箱並べ装置に関する。
【背景技術】
【０００２】
従来からこの種の苗箱並べ装置としては種々のものが提案されている（例えば特許文献１）。
【０００３】
播種や発芽後の苗箱を地面に並べる作業は、稲作地域によって異なる。例えば休耕田等の圃場を利用して行う地域、或いはビニールハウスを利用して行う地域等があるが、地域を問わず主にビニールハウスを利用してハウス内地面に並べることが行われている。
そして、この種の苗箱並べ装置は、保管倉庫等から箱並べを行う載置場やビニールハウスへと移動させるために、モータからの動力により走行する駆動輪を備える自走式と、走行動力をもたずに作業者自身が押しながら走行させる遊転輪を備える手押し式との２種類が知られている。
そしてまた、各稲作農家の規模に合わせて１回の並べ作業で１列づつ行う１列並べ用と、２〜４列のように横数列で行う数列並べ用とがあり、主にこの数列並べ用が普及している。そしてまた、走行車上から地面に向けて漸次傾斜する苗箱搬送路により走行車上の搬送始端側から地面に接近する搬送終端側へと搬送される平面視矩形状を呈する数枚の苗箱は長辺縁部同志を付き合わせた列状態で順次に搬送されながら一側長辺縁部側から地面に１枚づつ送り出されて並べられるようになっている。
【０００４】
ところで、稲、野菜その他の農作物、特に稲の苗を育成する浅底で平面視略長方形状を呈する苗箱は、長辺縁部間と短辺縁部間の夫々の内寸法においては製造販売メーカー問わずに一定寸法並びに形状を成しているが、外寸法等においては強度等を出すために各メーカーが独自に設計を行っているために様々で統一性が無く、少なく見ても長辺外寸法Ｌの寸法差は608〜612mm位の範囲で十種類の苗箱が存在しているものと推測される。
従って、２〜４列の横数列で箱並べ作業を行う数列並べ用の苗箱並べ機の場合、走行車上に並列して装着される２〜４列の各苗箱搬送路相互の幅寸法、所謂機体横幅寸法Ｌ1が１枚の苗箱の長辺外寸法Ｌの２倍から４倍になる。つまり、長辺外寸法Ｌが略608mmの苗箱である場合には２列並べ用で略1216mm、そして４列並べ用で2432mmと言うように２〜４列の各苗箱搬送路相互の機体横幅寸法Ｌ1が必要となり、当該横幅寸法Ｌ1が広くなればなるほど、移動する際や不使用時の保管収納際等の取扱い上において妨げとなることは言うこともない。また、出入り間口寸法が1800mmと言うビニールハウスの出入り口においても当該間口寸法を越える機体幅寸法Ｌ1の苗箱並べ装置は取扱い上において問題となる。
【０００５】
また、この様な取扱い上の問題は、機体幅寸法Ｌ1のみならず、例えば走行車上の苗箱搬送路の搬送始端から地面に接近する搬送終端側に至る機体全長寸法Ｌ2が長くなればなるほど、特に走行車の車体フレーム前端から地面に向けて傾斜突出する搬送終端側の傾斜突出長さが長くなるほど取扱いが不便となり、この機体全長寸法Ｌ2においても移動する際や不使用時の保管収納際等時には短く可変できるようにすること取扱いを改善する上においては必要である。
【０００６】
【特許文献１】特開２００１−１６９６６９号
【発明の開示】
【発明が解決しようとする課題】
【０００７】
本発明は、使用者のニーズに応えるべく更に研究、改良を加えたものであり、その解決しようとする課題は、１列並べは勿論、特に２〜４列のように横数列並べを可能にしながら、移動する際や収納保管する際、そして、ビニールハウス内への出入りの等には機体横幅寸法Ｌ1を狭く可変することができ、また、機体全長寸法Ｌ2をも短く可変し得るように改良を加えて取扱い上の向上を図り、更には製造メーカーによって異なる苗箱の長辺外寸法Ｌに応じて苗箱搬送路の搬送幅寸法をも可変し得るように改善された苗箱並べ装置を提供することにある。
【課題を解決するための手段】
【０００８】
上記課題を解決するために本発明は以下の技術的手段を採用する。
走行車と、この走行車上から地面に向けて漸次傾斜状に設置される搬送コンベヤと、同走行車の後部に備えられるハンドルとで構成され、前記走行車上の搬送コンベヤの搬送始端側において供給される平面視略長方形状の苗箱を、長辺縁部同士を互いに隣接させて搬送終端側へと駆動搬送せしめて同終端から地面に送り出しながら同地面に箱並べを行う苗箱並べ装置において、
上記走行車は、適宜の車体長さと車体幅を有する車体フレームを具備し、該車体フレームにフリー走行する前輪と後輪とを備え、
上記搬送コンベヤは、苗箱を駆動搬送する無端状の搬送ベルトを搬送始端から搬送終端に亘り配設すると共に苗箱の長辺外寸法と略同寸幅間隔にて搬送方向略全長に亘り配設されて苗箱を案内するガイド壁を有する搬送路を、上記走行車上から地面に向けて１列乃至横数列備えてなり、
更に、上記ガイド壁は、苗箱を駆動搬送しながらの箱並べ時において上記搬送幅を有する搬送路を確保するように開き、且つ、装置本体の移動走行時においては前記搬送路の搬送幅を狭めるように閉じる変移自在と成し、装置本体の機体横幅寸法が箱並べ時における寸法よりも狭く可変し得るように構成してなることにある（請求項１）。
【０００９】
そして、請求項１記載の上記搬送コンベヤが、走行車の車体フレームの略前端部を境に搬送始端側と搬送終端側とに２分割され且つ回動自在に軸支されて、当該軸支部を支点に搬送終端側を斜め後方に折り畳み得るように構成してなることにある（請求項２）。
【００１０】
また、上記請求項１又は２記載の搬送コンベヤの搬送路を構成する間隔可変自在なガイド壁の開き方向への開き度合いを調節する幅調節機構を備えて、長辺外寸法が異なる各苗箱の長辺外寸法に応じて搬送路の搬送幅を可変調節し得るように構成してなることにある（請求項３）。
【００１１】
更に、請求項１〜３何れか１項に記載の上記搬送コンベヤの搬送始端側に、同始端部から搬送路の傾斜に沿って伸縮調節自在に延出させる箱載せ機構を備えて、作業者の身長に応じて地面からの苗箱の箱載せ供給高さを可変調節し得るように構成してなることにある（請求項４）。
【発明の効果】
【００１２】
本発明の苗箱並べ装置は叙上の如く構成してなることから下記の作用効果を奏する。
請求項１記載によれば、搬送コンベヤの搬送路を構設する両側のガイド壁が、箱並べ時において苗箱を搬送する搬送幅Ｌ3を有する搬送路を確保するように開き、且つ、装置本体の移動時においては前記搬送幅を狭めるように閉じる変移自在と成し、それにより、ガイド壁を閉じた時の装置本体Ａの機体横幅寸法Ｌ10が、箱並べ時における機体横幅寸法Ｌ1よりも狭く可変し得るように構成してなることで、装置本体を移動させる際の走行性が良く成る。しかも、間口寸法が1800mmと言うビニールハウスの出入り口における出入りが頗る便利となり、不使用時の保管においても場所を取らずに収納することができる等の取扱い上の向上が図られる。
【００１３】
請求項２記載によれば、請求項１に加えて、搬送コンベヤをその搬送方向途中部位から搬送始端側と搬送終端側とに２分割せしめて、搬送始端側に向けた斜め上方に搬送終端側が折り畳まれるように構成してなることで、車体寸法Ｌ20が箱並べ時に必要な本来の車体全長寸法Ｌ2長さよりも短くなった分、請求項１詳述の車体横幅寸法Ｌ10の減幅可変との関係において、装置本体を移動させるに際して、より一層走行性が容易且つ簡便になるばかりか、小回り移動が可能になる等から取扱いが頗る良好となる。
【００１４】
請求項３記載によれば、請求項１記載の間隔開閉自在なガイド壁を動きを利用して、各メーカーが独自に設計を行っているために様々で統一性が無く、少なく見ても長辺外寸法Ｌの寸法差は608〜612mm位の範囲で十種類存在する各苗箱の長辺外寸法Ｌに応じて搬送路の搬送幅Ｌ3に調節し得るように幅調節機構を備えてなることで、ガイド壁により仕切られる搬送路の搬送幅Ｌ3は608〜612mm位の範囲で十種類存在する各苗箱の長辺外寸法Ｌに応じて可変調節することができる。これにより、苗箱を左右にガタツキの無い状態で搬送路を直線的に搬送させながら、地面へと送り出すことができる。換言すれば、既に並べられている苗箱列に並列的に沿わせながら隙間無く並べる箱並べ作業が可能となる。
【００１５】
請求項４記載によれば、搬送コンベヤの搬送路の搬送始端側に、同始端部から搬送路の傾斜に沿って伸縮調節自在に延出させる箱載せ機構を備えて、作業者の身長に応じて地面からの苗箱の箱載せ供給高さＬ4を可変調節し得るように構成してなることで、作業者は箱並べ作業を行うに際して、箱載せ機構を前後伸縮移動させることで、自然姿勢の状態で搬送路に苗箱を供給することができる箱載せ供給高さＬ4にすることにより、窮屈な前屈み姿勢を取ることなく、搬送路の搬送始端側に１枚づつ苗箱を供給しながら箱並べ作業を遂行することができる。
【発明を実施するための最良の形態】
【００１６】
本発明の最良の実施形態を図１〜図８に基づいて説明する。
【実施例１】
【００１７】
図１は、本発明苗箱並べ装置の実施形態の一例を示し、１は走行車、２はこの走行車１上から地面Ｐに向けて漸次傾斜状に設置される２列並べ用の搬送コンベヤ、３は走行車１の後部に取り付けられるハンドルであり、走行車１上の搬送コンベヤ２の搬送始端側に苗箱Ｂを横２列に夫々供給することで、後述する搬送路４の搬送動力により搬送終端側へと苗箱Ｂが駆動搬送され、該終端から地面Ｐに向けて横２列で夫々１枚づつ送り出されることで、ビニールハウス等の地面Ｐに苗箱Ｂが横２列にて走行車１の走行方向に１列状に並べられる箱並べが行われるように構成されている。
【００１８】
因みに、平面視が略長方形状を呈する苗箱Ｂは、長辺縁部間と短辺縁部間の夫々の内寸法においては製造販売メーカー問わずに一定寸法並びに形状を成しているが、外寸法等においては強度等を出すために各メーカーが独自に設計を行っているために様々で統一性が無く、少なく見ても長辺外寸法Ｌの寸法差は608〜612mm位の範囲で十種類の苗箱が存在している。
【００１９】
走行車１は、適宜の車体長さと車体幅を有する車体フレーム1-1を具備し、該車体フレーム1-1の前部と後部の両側にはにフリー走行する前輪1-2と後輪1-3とを夫々備える。
そして、車体フレーム1-1の後部中央には前輪1-2を操作、つまり走行車１を舵取り操作するためのハンドル３が備えられており、このハンドル３操作により装置本体Ａを直進、左右何れかの方向に舵取り走行し得るようにしてある。
【００２０】
車体フレーム1-1は、角や丸等のパイプ材を用いて前後方向に適宜の長さを有し、そして、横幅方向においては２枚の苗箱Ｂの長辺外寸法Ｌよりも狭い寸法にて平面視略矩形状に枠組み形成されている。例えば１枚の苗箱Ｂの長辺外寸法Ｌが略608mmで、２枚分のトータル寸法が略1216mmであった場合、900mm前後位の車体幅寸法にて平面視略矩形状に枠組み形成されると共に、前部両側に方向変換機構５を介してフリー走行する前輪1-2が備えられ、後部両側にはフリー走行する後輪1-3が備えられている。
【００２１】
方向変換機５は、走行車１の車体フレーム1-1の前部両側に回転可能に備えた前輪1-2を車軸を介して首振り回動自在に支持する回転軸5-1、この両側の回転軸5-1から後方に向けて水平に固着突出させた腕杆5-2、この両腕杆5-2の突端に両端を夫々枢着せしめて両腕杆5-2間に架橋状に取り付けられる連結軸5-3等から構成され、前記連結杆5-3がハンドル３操作により左右に水平移動されることで、両側の前輪1-2が夫々の回転軸5-1を支点に左右に向きが変わる舵取りが可能になっている。即ち、ハンドル３によって装置本体Ａを直進並びに左右何れかの方向に舵取り操作し得るようにしてある。
【００２２】
ハンドル３は、車体フレーム1-1の後部中央に垂直に取付けた支持筒６に上下不動な状態で嵌挿支持させた垂直杆７の上端に固定的に具備され、支持筒６の上端に位置する垂直杆７部位から水平に固着突出させた連結腕８に連結ロッド９の一端を枢着せしめると共に同ロッド９の他端側を、両側前輪1-2を連結する前述の連結軸5-3に不図示の連結リンク等を介して枢着連結せしめて（図１参照）、前輪1-2を直進並びに左右何れかの方向に舵を取ることで、前述したように装置本体Ａの走行を舵取り操作し得るように形成してある。
【００２３】
搬送コンベヤ２は、その搬送始端側を、車体フレーム1-1から立ち上げた支柱10に支持させると共に、搬送途中部位を走行車１前端に支持させることで、走行車上から地面Ｐに向けた所望な傾斜角度にて傾斜状に設置されるもので、作業者の腰高程度に相当する走行車１上の搬送始端側から供給される苗箱Ｂが地面Ｐに向けて漸次傾斜する搬送終端側へと順次に駆動搬送されるようにしてある。
【００２４】
この搬送コンベヤ２は、２枚の苗箱Ｂの長辺外寸法Ｌと同幅かそれよりも幾分広めの横幅にて前後方向に延びる平面視略矩形状に枠組みされたコンベヤ機枠2-1を具備し、この機枠2-1の傾斜上端側と傾斜下端側に夫々架設した駆動軸11と回転軸12とに、１枚の苗箱Ｂの長辺外寸法Ｌよりも狭い間隔にて夫々固着備えた駆動プーリー13と回転プーリー14に渡って左右一対の無端状の搬送ベルト2-2を巻回張架せしめ、更にこの左右一対の搬送ベルト2-2を夫々挟むように苗箱Ｂの高さに相当するガイド壁2-3を、苗箱Ｂの長辺外寸法Ｌと略同寸幅間隔にて立ち上げ配設することで、苗箱Ｂを一列状に駆動搬送する搬送路４を左右２列に構成し、この２列並べ用の搬送路４を走行車１上からその走行一方向（図では前進方向）の地面Ｐに向けて傾斜延出せしめてなる。
【００２５】
そして、搬送終端側の駆動軸11にＶベルトやチェーン等により連繋せしめる駆動モータ15をコンベヤ機枠2-1の裏面側に設置し、該駆動モータ15により搬送ベルト2-2を駆動回転（走行）させることで、走行車１上の搬送始端側から搬送路４の搬送終端側に向けて苗箱Ｂを所定の搬送速度にて駆動搬送するように構成してある。
尚、駆動モータ15としては、駆動車軸とギア機構によって連繋せしめて一体型に形成してなるデフギアードモータ等を用いるも勿論自由である。
【００２６】
また、搬送ベルト2-2を駆動回転する駆動モーター15のON・OFF操作は、ハンドル3に備えたコントロールボックス16の手元スイッチにより切換え可能になっており、又、搬送ベルト2-2による苗箱Ｂの搬送速度についてもボックス16の速度ボリュームを操作することで、任意に調節し得るようになっている。
【００２７】
そして、上記搬送コンベヤ２の２列並べ用の搬送路４を構設する両側と中央のガイド壁2-3の内、中央のガイド壁2-30はコンベヤ機枠に固着備えられると共に、両側に配設されるガイド壁2-3は、箱並べ時において苗箱Ｂを搬送する搬送幅Ｌ3を有する搬送路４を確保するように開き、且つ、装置本体Ａの移動走行時においては搬送路４の搬送幅Ｌ3を狭めるように閉じる変移自在と成し、装置本体Ａの機体横幅寸法Ｌ10が箱並べ時における機体横幅寸法Ｌ1よりも狭く可変し得るように構成してなる（図２及び図５参照）
【００２８】
両側のガイド壁2-3を間隔開閉自在に支持させるための手段・機構としては種々考えられるが、本例では図３〜図４に示したように、コンベヤ機枠2-1の両側枠材17の前後部位にブラケット形状に曲げ加工された所定長さの連結金具18の一端を枢着し、その他端側をガイド壁2-3の内側に枢着せしめて、一端側の枢着部Ｘを支点に開いた状態にあるガイド壁2-3を後方に移動させることで、搬送幅Ｌ3を狭める閉じ方向にガイド壁2-3を変移させることができ、そして、この閉じた状態からガイド壁2-3を前方に移動させることで、苗箱Ｂを搬送する搬送幅Ｌ3を有する搬送路４を確保する開き方向に変移させることができるようにしてある（図３参照）。
【００２９】
図中19は、ガイド壁2-3を閉じた状態において保持する保持ピンであり、ガイド壁2-3には閉じた時にこの保持ピン19が挿通する挿通長孔20が開口されており、割ピン21止めによりガイド壁2-3を係止保持するようにしてある（図３（ｂ）参照）。
【００３０】
而して、ビニールハウス内等の地面Ｐに苗箱Ｂを箱並べする際には閉じられている両側のガイド壁2-3を開くことで、搬送コンベヤ２の搬送路４の搬送幅Ｌ3を苗箱Ｂの長辺外寸法Ｌに合わせた広さとし得る（図３の（ｂ）状態から（ａ）の状態、図５状態から図２の状態）。
そして、装置本体Ａをビニールハウス内に搬入させる際等の移動や箱並べ作業が終了した後の移動、そして不使用時の保管場所への収納等時には両側のガイド壁2-3を、両搬送路４の搬送幅Ｌ3を狭めるように閉じる（図３の（ａ）状態から（ｂ）の状態）。これにより、図５に示す機体幅寸法Ｌ10が箱並べ時の図２に示す機体幅寸法Ｌ1に比べてかなり狭くなることで、走行性が良く成ると共に、出入り間口寸法が1800mmと言うビニールハウスの出入り口においてもその出入りが頗る便利となり、しかも、不使用時の保管においても場所を取らずに保管収納することができる等の取扱い上の向上が図られる。
【００３１】
そして、前述したように、間隔開閉自在とするガイド壁2-3の動きを利用して、各メーカーが独自に設計を行っているために様々で統一性が無く、少なく見ても長辺外寸法Ｌの寸法差は608〜612mm位の範囲で十種類存在する各苗箱の長辺外寸法Ｌに応じて搬送路４の搬送幅Ｌ3に調節し得るように幅調節機構22を備えている。
【００３２】
幅調節機構22は、連結金具18の一端が枢着されている両側枠材17の外面（側面）における同枢着部Ｘ近傍に蝶ネジ23を介してスライド自在に備えられる調節金具22-1と、連結金具18に固着備えられて前記調節金具22-1への衝合によりガイド壁2-3の開き、つまり、搬送路４の搬送幅Ｌ3を苗箱Ｂの長辺外寸法Ｌに合わせる当て金具22-2とで構成される。
調節金具22-1は、金属帯板から形成され、その１部に設けた膨出部24の球面に対する前記当て金具22-2の当たり位置によって、ガイド壁2-3の開きが調節されるようになっている。また、膨出部24に対する当て金具22-2の当たり位置の調節は調節金具22-1に開口した調節長孔25の開口範囲で調節金具22-1を移動させることで任意に行い得るようにしてある。
【００３３】
而して、図７に示すように、調節金具22-1を前後方向に移動させて同金具22-1の膨出部24に対する当て金具22-2の当たり位置が調節されることで、ガイド壁2-3により仕切られる搬送路４の搬送幅Ｌ3は608〜612mm位の範囲で十種類存在する各苗箱Ｂの長辺外寸法Ｌに応じて可変調節することができる。これにより、苗箱Ｂは左右にガタツキの無い状態で搬送路４を直線的に駆動搬送されながら、地面Ｐへと送り出される。換言すれば、既に並べられている苗箱Ｂ列に並列的に沿わせながら隙間無く並べる箱並べ作業が可能となる。
従って、本例ではガイド壁2-3を最大限に開いた時の搬送路４の搬送幅Ｌ3が、612mmの長辺外寸法Ｌを有する苗箱Ｂの大きさになるようにして、この612〜608mmの各苗箱Ｂの長辺外寸法Ｌに合わせて搬送幅Ｌ3を可変調節し得るようにしてある。
【実施例２】
【００３４】
また、本例では搬送コンベヤ２のコンベヤ機枠2-1を、搬送終端側途中部位において該終端側と搬送始端側とに２分割し、当該分割部分から終端側機枠2-10を新たに枠組み形成すると共に、同終端側機枠2-10の後端両側に後方に突出する連結腕杆26を固着備え、始端側機枠2-11の前端には当該連結腕杆26と並設するように前方に突出する連結腕杆27を固着備え、この連結腕杆27と前記連結腕杆26との中央部位に夫々軸受け28を設けて前述の駆動軸11をそれら間に亘り架設せしめることで、始端側機枠2-11の前端に終端側機枠2-10が連結され、且つ、駆動軸11を回動支点として始端側機枠2-11方向に向けた斜め上方に終端側機枠2-10が折り畳まれるように構成してある（図１の状態から図６の状態）。
【００３５】
そして、この様にコンベヤ機枠2-1を折畳み可能に２分割せしめた場合には搬送ベルト2-2についても図示したように、駆動軸11を境に、始端側機枠2-11と終端側機枠2-10に夫々分けて搬送ベルト2-20，2-21を巻回張架せしめる巻回形態とする（図２参照）。これにより、終端側機枠2-10を始端側機枠2-11に向けて折り畳んだ際、搬送ベルト2-2の張架状態が緩んで（弛んで）外れてしまう等の取り扱い性の不具合が解消される。
【００３６】
また、間隔開閉自在とする両側のガイド壁2-3においても図示したように、始端側と終端側とに２分割せしめると共に始端側機枠2-11に対する取り付けは前述と同じであるが、終端側機枠2-10に対しては両側の枠材17の前後部位に夫々支持パイプ29を直交且つ水平に介して支持杆30を摺動自在に備え、この前後の支持杆30にガイド壁2-31を固着支持させることで、始端側のガイド壁2-3とは独立させて開いたり、閉じたりする間隔開閉自在としてなる。
尚、支持パイプ29には止めボルト31が備えられており、ガイド壁2-31を開く、閉じる等の変移させた後において支持杆30を締着保持し得るようにしてある。
【００３７】
而して、搬送コンベヤ２の終端側機枠2-10を、終端側機枠2-11方向に向けた斜め上方に折り畳むことで、苗箱Ｂを搬送するために必要とする搬送コンベヤ２の長さが短くなる。これにより、車体寸法Ｌ20が箱並べ時に必要な本来の車体全長寸法Ｌ2長さよりも短くなった分、実施例１詳述の車体横幅寸法Ｌ10の減幅可変との関係において、装置本体Ａをビニールハウスや保管場所等まで移動させるに際して、より一層走行性が容易且つ簡便になるばかりか、小回り移動が可能になる等から取扱いが頗る良好となる。
【実施例３】
【００３８】
また、本例では、横アジャスター機構32を介して走行車１の車体フレーム1-1上に搬送コンベヤ２を横スライド可能に支持させている。
つまり、最初に並べた苗箱Ｂ列に並列的に沿わせてそれ以降の苗箱Ｂを送り出し並べる作業中において、走行車1の直進走行が地面Ｐの凸凹な地表面によって乱れ、走行車1が略直線的に並ぶ苗箱Ｂ列から離れた場合等に、横アジャスター機構32の操作により搬送コンベヤ２を横移動させることで、同コンベヤ２を各苗箱Ｂ列に確実に並列沿わせて苗箱Ｂを一枚ずつ確実に地面Ｐに向けて送り出し整列し得るように走行車１の走行乱れを搬送コンベヤ２の横移動により修正し得るように構成してなる。
【００３９】
横アジャスター機構32は、走行車1の車体フレーム1-1に対し搬送コンベヤ2を左右スライド可能に支持する前後の支持部32-1と、同走行車1のハンドル３側に設けた正逆回転可能な操作ハンドル32-2と、この操作ハンドル32-2と連繋されて該操作ハンドル32-2の操作に伴い搬送コンベヤ2を左右何れかの方向に水平移動させる前後の動作伝達機構部32-3とから構成してある。
【００４０】
また、図示を省略しているが、本例では走行車１の方向転換自在な前輪1-2からハンドル３の垂直杆７とを連結する連結ロッド９を介して前輪1-2を直進方向に向けた状態でロック保持せしめて、一列に並ぶ苗箱Ｂ列に沿わせて走行車１を箱並べ時における後退方向に直進走行させるための直進ロック機構を具備してなる。
この直進ロック機構による前輪1-2のロック保持を解除する場合にはハンドル３の握り部側に備えられている解除レバー33を握ることで行うことができるように構成してある。
即ち、前輪1-2を直進方向に向けた状態で解除レバー33を放すことで、その直進走行状態がロック保持され、そして、作業者が解除レバー33を握ることで、前輪1-2の直進方向のロック保持状態が解除され、ハンドル３を動かして前輪1-2の向きを左右任意の方向に変える舵取りが行い得るように構成されている。
【実施例４】
【００４１】
また、本例では図８に示すように、搬送コンベヤ２の各搬送路４の搬送始端側に、同始端部から搬送路４の傾斜に沿って伸縮調節自在に延出させる箱載せ機構34を備えて、作業者の身長に応じて地面Ｐからの苗箱Ｂの箱載せ供給高さＬ4を可変調節し得るように構成してなる
【００４２】
箱載せ機構34は、各搬送路４内に存在するコンベヤ機枠1-1の横枠35に、適宜の間隔をおいて左右並列状に取付パイプ34-1を固着配設し、この左右のパイプ34-1の間隔と同じ間隔をおいて折り曲げた平面視が略コの字形を呈する箱載せ杆34-2の左右杆部34-20を、前記左右の取付パイプ34-1に貫通状に挿入させることで構設し、箱載せ杆34-2を前後に伸縮自在に移動させることで、箱並べ時に行われる苗箱Ｂの箱載せ供給高さＬ4が作業者の身長に応じて可変調節し得るようにしてある（図1及び図６参照）。
また、箱載せ杆34-2の左右杆部34-20には割ピン36等を用いて伸縮調節した後にその調節位置にて箱載せ杆34-2を止着せしめるピン孔37が軸方向に所定の間隔をおいて開孔されている。
【００４３】
而して、作業者は箱並べ作業を行うに際して、箱載せ機構34の箱載せ杆34-2を前後に伸縮移動させることで、自然姿勢の状態で各搬送路４に苗箱Ｂを供給することができる箱載せ供給高さＬ4に調節することができる。これにより、不図示の台車等に積み重ねられた状態で搬送されてくる苗箱Ｂを窮屈な前屈み姿勢を取ることなく、各搬送路４の搬送始端側に１枚づつ供給しながら箱並べ作業を遂行することができる。
【００４４】
尚、この箱載せ機構34については前述の構成形態に限定されるものではなく、例えば、苗箱Ｂを載せる箱載せ杆34-2を杆材から形成するのではなく、平板材等を用いて形成する一方で、取付パンプ34-1をパイプ材から形成するのでなく、断面が略コの字形の型材を用いて形成して、平板材からなる箱載せの両縁を摺接動自在に支持するように搬送路４に配設する等の構成形態とする等、任意である。
【図面の簡単な説明】
【００４５】
【図１】本発明苗箱並べ装置の実施形態の一例を示す側面図
【図２】同平面図で、ガイド壁を最大限に開いた状態を示す
【図３】ガイド壁を間隔開閉自在に支持する要部の拡大平面図で、（ａ）は最大限に開いた状態を示す、（ｂ）は閉じた状態を示す
【図４】同要部の斜視図で、（ａ）は最大限に開いた状態を示す、（ｂ）は閉じた状態で、ガイド壁を省略して示す
【図５】ガイド壁を閉じた状態の平面図
【図６】ガイド壁を閉じ、尚且つ搬送コンベヤの搬送終端側を搬送始端側に向けて斜め上方に折畳んだ状態を示す側面図
【図７】苗箱の長辺外寸法に応じてガイド壁の開き度合いを調節する幅調節機構を示す要部の拡大平面図
【図８】搬送コンベヤの搬送始端側の箱載せ供給高さを可変調節する箱載せ機構を示す要部の拡大斜視図
【符号の説明】
【００４６】
Ａ：装置本体        １：走行車
1-1：車体フレーム    ２：搬送コンベヤ
2-1：コンベヤ機枠  2-10：終端側機枠
2-11：始端側機枠  2-2,2-20,2-21：搬送ベルト
2-3：ガイド壁        ３：ハンドル
４：搬送路          ５：方向変換機構
22：幅調節機構      34：箱載せ機構
34-1：取付パイプ    34-2：箱載せ杆
【図１】
2005210908.tif 000003
【図２】
2005210908.tif 000004
【図３】
2005210908.tif 000005
【図４】
2005210908.tif 000006
【図５】
2005210908.tif 000007
【図６】
2005210908.tif 000008
【図７】
2005210908.tif 000009
【図８】
2005210908.tif 000010